(57)【要約】【課題】テレビ放送電波の受信アンテナの平衡給電線を利用して、ラジオ放送用の周波数帯の電波を受信するマルチバンドアンテナを提供する。【解決手段】テレビ放送の周波数帯の電波を受信するための第１のアンテナ１０と、この第１のアンテナ１０の給電点２０に接続する平衡給電線２１と、平衡／不平衡変換回路２２を介して平衡給電線２１に接続する不平衡給電線２３とを備えるアンテナの平衡給電線２１を、ラジオ放送の周波数帯の電波を受信可能な長さに設定し、平衡給電線２１の平衡／不平衡変換回路２２側に信号取出部３０を設けて、不平衡給電線２３とは別の不平衡給電線３５によってラジオ周波数帯の受信信号を取り出すようにしたマルチバンドアンテナ１４である。【選択図】図５
2009267976.tif 000002
【特許請求の範囲】
【請求項１】
第１の周波数帯の電波を受信する第１のアンテナと、この第１のアンテナの給電点に接続する平衡給電線と、平衡／不平衡変換回路を介して前記平衡給電線に接続して前記第１のアンテナで受信した信号を取り出す第１の不平衡給電線とを備えるアンテナにおいて、
前記平衡給電線に第１の信号取出部を設け、前記平衡給電線部分で受信した第２の周波数帯の受信信号を、前記第１の信号取出部に接続した第２の不平衡給電線によって取り出すように構成したことを特徴とするマルチバンドアンテナ。
【請求項２】
請求項１に記載のマルチバンドアンテナであって、
前記第１の信号取出部は、前記第１の周波数帯の電波に対してオープンになっているインダクタンス回路としたことを特徴とするマルチバンドアンテナ。
【請求項３】
請求項２に記載のマルチバンドアンテナであって、
前記インダクタンス回路は、前記平衡給電線の線間を接続する少なくとも１つの第１のコイルと、前記第１のコイルの中点に接続された第２のコイルとから構成したことを特徴とするマルチバンドアンテナ。
【請求項４】
請求項１に記載のマルチバンドアンテナであって、
前記第１の信号取出部は、前記平衡／不平衡変換回路の前記平衡給電線の線間を接続するコイルの中点に接続した信号取り出しコイルから構成したことを特徴とするマルチバンドアンテナ。
【請求項５】
第１の周波数帯の電波を受信する第１のアンテナを複数個有する第１のアンテナ群と、
前記第１のアンテナの給電点にそれぞれ接続する平行給電線からなる平衡給電線群と、
前記平衡給電線にそれぞれ接続し、前記第１のアンテナで受信した信号を平衡／不平衡変換回路を介して取り出す第１の不平衡給電線からなる第１の不平衡給電線群と、
前記平衡給電線にそれぞれ設けた第１の信号取出部と、
前記複数の第１の信号取出部にそれぞれ接続する第２の不平衡給電線からなる第２の不平衡給電線群とから構成され、
前記第１の不平衡給電線群から取り出される受信信号の周波数帯と、前記第２の不平衡給電線群から取り出される受信信号の周波数帯とを異ならせたことを特徴とするマルチバンドアンテナ。
【請求項６】
請求項１から５の何れか１項に記載のマルチバンドアンテナであって、
更に、前記平衡給電線の別の位置に第２の信号取出部を設け、前記平衡給電線部分で受信した第３の周波数帯の受信信号を、前記第２の信号取出部に接続した第３の不平衡給電線によって取り出すように構成したことを特徴とするマルチバンドアンテナ。
【請求項７】
請求項１から６の何れか１項に記載のマルチバンドアンテナであって、
前記平衡給電線部分で受信させる第２の周波数帯が、ラジオ放送の周波数帯となるように、前記平衡給電線の長さを設定したことを特徴とするマルチバンドアンテナ。
【請求項８】
請求項１から７の何れか１項に記載のマルチバンドアンテナであって、
前記第１のアンテナで受信させる第１の周波数帯が、テレビ放送の周波数帯となるように、前記第１のアンテナを構成したことを特徴とするマルチバンドアンテナ。
【発明の詳細な説明】
【技術分野】
【０００１】
本発明はマルチバンドアンテナに関し、特に、車両のリヤガラスに設置して周波数帯の異なる電波を簡単な構成で受信可能なマルチバンドアンテナに関する。
【背景技術】
【０００２】
従来、自動車等の車両（移動体）には、移動中にも電波の受信等を可能にするアンテナが搭載されている。車両が受信する電波は、長年に渡ってＡＭラジオ用の中波（ＭＷ）とＦＭラジオ用やＴＶ用の超短波（ＶＨＦ）が主であった。ところが、近年、ＧＰＳ（全地球測位システム）用のアンテナや、地上波デジタル放送用を受信するアンテナ等の高周波帯の電波を送受信するアンテナが車両に必要となりつつある。更には、ＥＴＣ（自動料金所システム）や、ＶＩＣＳ（道路交通情報通信システム）の電波ビーコンに対しても電波の送受信を行うアンテナが車両に必要となってきている。
【０００３】
このように複数の種類の電波を受信するアンテナを車両に搭載する場合は、特許文献１に記載のように、アンテナエレメントを複数設け、周波数帯別にアンテナエレメントを設けることが行われている。また、複数のアンテナを車両である自動車に取り付ける場合のアンテナの設置場所は、車両のリヤガラスが一般的であるが、アンテナをリヤガラスに設置する場合は、導電性インクをガラスに印刷することにより設置する場合もある。
【０００４】
図１は従来の自動車１のリヤガラス２に、デジタルテレビ放送用のアンテナ３と、ラジオ放送用のアンテナ４が設置された状態を説明する図である。デジタルテレビ放送用のアンテナ３とラジオ放送用のアンテナ４とは共にリヤガラス２の上部に配置されている。そして、デジタルテレビ放送用のアンテナ３の給電端子３Ａには、コネクタ５が接続されて受信信号が同軸ケーブル７を通じて取り出され、ラジオ放送用のアンテナ４の給電端子４Ａには、コネクタ６が接続されて受信信号が同軸ケーブル８を通じて取り出される。
【０００５】
【特許文献１】特開２００１−２９８３７８号公報
【発明の開示】
【発明が解決しようとする課題】
【０００６】
しかしながら、デジタルテレビ放送用のアンテナ３とラジオ放送用のアンテナ４を従来の自動車のリヤガラスに設置する場合は、アンテナの位置に制約があり、また、給電点の位置にも制約があり、更には、アンテナ毎にコネクタを用意しなければならないので、部品点数が増加し、コストアップするという問題点があった。
【０００７】
そこで、本発明は、デジタルテレビ放送用のループアンテナ、或いはダイポールアンテナの給電点に接続する平衡給電線を利用して、デジタルテレビ放送用の周波数帯よりも周波数が低いラジオ放送用の周波数帯の電波を受信することができるマルチバンドアンテナを提供することを目的とする。
【課題を解決するための手段】
【０００８】
前記目的を達成する本発明のマルチバンドアンテナは、第１の周波数帯の電波を受信する第１のアンテナと、この第１のアンテナの給電点に接続する平衡給電線と、平衡／不平衡変換回路を介して平衡給電線に接続して第１のアンテナで受信した信号を取り出す第１の不平衡給電線とを備えるアンテナにおいて、平衡給電線に第１の信号取出部を設け、平衡給電線部分で受信した第２の周波数帯の受信信号を、第１の信号取出部に接続した第２の不平衡給電線によって取り出すように構成したことを特徴とするマルチバンドアンテナである。
【０００９】
この場合、第１の信号取出部は、第１の周波数帯の電波に対してオープンになっているインダクタンス回路することができ、インダクタンス回路は、平衡給電線の線間を接続する少なくとも１つの第１のコイルと、第１のコイルの中点に接続された第２のコイルとから構成することができる。信号の取り出しを、平衡／不平衡変換回路の平衡給電線の線間を接続するコイルの中点に接続した信号取り出しコイルから構成することができる。
【００１０】
前記目的を達成する本発明のマルチバンドアンテナの第２の形態は、第１の周波数帯の電波を受信する第１のアンテナを複数個有する第１のアンテナ群と、第１のアンテナの給電点にそれぞれ接続する平行給電線からなる平衡給電線群と、平衡給電線にそれぞれ接続し、第１のアンテナで受信した信号を平衡／不平衡変換回路を介して取り出す第１の不平衡給電線からなる第１の不平衡給電線群と、平衡給電線にそれぞれ設けた第１の信号取出部と、複数の第１の信号取出部にそれぞれ接続する第２の不平衡給電線からなる第２の不平衡給電線群とから構成され、第１の不平衡給電線群から取り出される受信信号の周波数帯と、前記第２の不平衡給電線群から取り出される受信信号の周波数帯とを異ならせたことを特徴とするマルチバンドアンテナである。
【００１１】
更に、平衡給電線の別の位置に第２の信号取出部を設け、平衡給電線部分で受信した第３の周波数帯の受信信号を、第２の信号取出部に接続した第３の不平衡給電線によって取り出すように構成することが可能である。なお、平衡給電線部分で受信させる第２の周波数帯がラジオ放送の周波数帯となるように、平衡給電線の長さを設定し、第１のアンテナで受信させる第１の周波数帯がテレビ放送の周波数帯となるように、第１のアンテナを構成することができる。
【発明の効果】
【００１２】
本発明のマルチバンドアンテナは、デジタルテレビ放送用のループアンテナ、或いはダイポールアンテナの給電点に接続する平衡給電線を利用して、デジタルＴＶ放送用の周波数帯よりも周波数が低いラジオ放送用の周波数帯の電波を受信することができるので、アンテナの数が減り、コスト削減を図ることができる。
【発明を実施するための最良の形態】
【００１３】
以下添付図面を用いて本発明のマルチバンドアンテナの実施の形態を、具体的な実施例に基づいて詳細に説明する。
【００１４】
図２は、本発明の第１の実施例のマルチバンドアンテナ１１の構成を示す回路構成を示している。第１の実施例では、デジタルテレビ放送受信用のループアンテナ１０の給電点２０に平衡給電線２１が接続されている。平衡給電線２１の他方の端部は給電端子となっており、この給電端子に、平衡／不平衡変換回路であるバラン２２を内蔵するコネクタが取り付けられる。本図には給電端子とコネクタの図示は省略し、平衡給電線２１の他方の端部にバラン２２が接続する回路が示されている。バラン２２には１次側コイル２２Ａと２次側コイル２２Ｂとがある。そして、バラン２２の１次側コイル２２Ａには、デジタルテレビ放送受信用のループアンテナ１０で受信した信号を取り出すための不平衡給電線である同軸ケーブル２３の芯線２４が接続されている。
【００１５】
第１の実施例のマルチバンドアンテナ１１では、平衡給電線２１の長さがラジオ放送、例えばＡＭ放送やＦＭ放送の周波数帯を受信できるように長く形成されている。そして、平衡給電線２１に接続するバラン２２の２次側コイル２２の近傍には、信号取出部３０が設けられている。第１の実施例では、信号取出部３０は、平衡給電線２１の間に直列接続された２つのコイル３１，３２と、コイル３１，３２の接続点に接続された取出しコイル３３とから構成されている。なお、コイル３１，３２は１つのコイルで形成しても良く、この場合は取出しコイル３３はその中点に接続すれば良い。
【００１６】
この構成により、マルチバンドアンテナ１１の平衡給電線２１によってラジオ放送の周波数帯の電波を受信することができ、平衡給電線２１で受信した信号を、信号取出部３０、及びこの信号取出部３０の取出しコイル３３に芯線３４が接続する同軸ケーブル３５によって取り出すことができる。一方、ループアンテナ１０で受信したデジタル放送用の周波数帯の信号は、平衡給電線２１、バラン２２を通じて同軸ケーブル２３によって取り出すことができる。
【００１７】
なお、信号取出部３０とバラン２２とは１つのコネクタの筐体内に収めることも可能である。そして、信号取出部３０とバラン２２とは１つのコネクタの筐体内に収めることができれば、部品点数の削減、設置場所の自由度が増し、ループアンテナ１０、平衡給電線２１をリヤガラス内に予め埋め込んで配置することも可能となる。
【００１８】
図３は、本発明の第２の実施例のマルチバンドアンテナ１２の構成を示す回路図である。第２の実施例のマルチバンドアンテナ１２が、第１の実施例のマルチバンドアンテナ１１と異なる点は、信号取出部３０の構成のみである。よって、第２の実施例では、第１の実施例と異なる部分のみ説明し、第１の実施例と同じ構成部分には構成部材に同じ符号を付してその説明を省略する。
【００１９】
第１の実施例における信号取出部３０は、平衡給電線２１の間に直列接続された２つのコイル３１，３２と、コイル３１，３２の接続点に接続された取出しコイル３３とから構成されていた。一方、第２の実施例における信号取出部３０は、平衡給電線２１の間に直列接続された２つのコイル３１，３２の代わりに、平衡給電線２１の端部に配置されたバラン２２の２次側コイル２２Ｂを使用している。そして、同軸ケーブル３５の芯線３４に一端が接続する取出しコイル３３の他端部を、バラン２２の２次側コイル２２Ｂの中点に接続している。
【００２０】
この構成では、信号取出部３０とバラン２２とは１つのコネクタの筐体内に収めることが一層簡単になり、信号取出部３０の取出しコイル３３とバラン２２とを１つのコネクタの筐体内に収めれば良い。従って、第２の実施例でも部品点数の削減、設置場所の自由度が増し、ループアンテナ１０、平衡給電線２１をリヤガラス内に予め埋め込んで配置することが可能となる。
【００２１】
図４（ａ）は、本発明の第３の実施例のマルチバンドアンテナ１３の構成を示す回路図である。第３の実施例のマルチバンドアンテナ１３が、第１の実施例のマルチバンドアンテナ１１と異なる点は、バラン２２の１次側コイル２２Ａと、ループアンテナ１０で受信したデジタル放送用の周波数帯の信号を取り出す同軸ケーブル２３との間に、平衡給電線２１で受信したラジオ放送の周波数帯の電波をカットするコンデンサ２５を挿入した点のみである。この構成により、平衡給電線２１で受信したラジオ放送の周波数帯の電波が、デジタル放送用の周波数帯の信号を取り出す同軸ケーブル２３に流れるのを防止できる。第３の実施例のマルチバンドアンテナ１３のその他の構成は第１の実施例と同じであるので、同じ構成部材には同じ符号を付してその説明を省略する。
【００２２】
図４（ｂ）は、図４（ａ）に破線で示した部分Ｃの変形例を示すものである。この変形例では、バラン２２の２次側コイル２２Ｂの平衡給電線２１側に、それぞれコンデンサ２６，２７を挿入している。このコンデンサ２６，２７は平衡給電線２１で受信した低周波の受信信号がバラン２２側に洩れるのを防止するものである。
【００２３】
図５は、本発明の第４の実施例のマルチバンドアンテナ１４の構成を示す回路図である。第４の実施例のマルチバンドアンテナ１４が、第２の実施例のマルチバンドアンテナ１２と異なる点は、バラン２２の１次側コイル２２Ａと、ループアンテナ１０で受信したデジタル放送用の周波数帯の信号を取り出す同軸ケーブル２３との間に、平衡給電線２１で受信したラジオ放送の周波数帯の電波をカットするコンデンサ２５を挿入した点のみである。この構成により、平衡給電線２１で受信したラジオ放送の周波数帯の電波が、デジタル放送用の周波数帯の信号を取り出す同軸ケーブル２３に流れるのを防止できる。第４の実施例のマルチバンドアンテナ１４のその他の構成は第２の実施例と同じであるので、同じ構成部材には同じ符号を付してその説明を省略する。
【００２４】
図６は、本発明の第５の実施例のマルチバンドアンテナ１５の構成を示す回路図である。第５の実施例のマルチバンドアンテナ１５は、図５に示した第４の実施例のマルチバンドアンテナ１４において、平衡給電線２１の途中に第２の信号取出部４０を設け、第２の信号取出部４０の接続点から給電点２０側の平衡給電線２１、或いは第２の信号取出部４０の接続点からバラン２２の接続点までの平衡給電線２１で受信した波長の短いラジオ放送用の電波を取り出すことができるようにしたものである。
【００２５】
第２の信号取出部４０は、平衡給電線２１の線間に直列に接続する２つのバンドパスフィルタ４１，４２から構成される。そして、２つのバンドパスフィルタ４１，４２の接続点Ｐに信号取出用の同軸ケーブル４５の芯線４４が接続されている。この構成では、同軸ケーブル４５によって、波長の短いラジオ放送用の周波数帯の受信信号を取り出すことができる。また、２つのバンドパスフィルタ４１，４２の接続点Ｐと芯線４４の間のＢ点に、更にバンドパスフィルタを設置しても良い。これらのバンドパスフィルタには、ラジオ放送の周波数帯のみを通過させる特性を持つものを使用すれば良い。マルチバンドアンテナ１５のその他の構成は第４の実施例と同じであるので、同じ構成部材には同じ符号を付してその説明を省略する。
【００２６】
また、前述のバンドパスフィルタ４１，４２を備える第２の信号取出部４０は、平衡給電線２１の線間に複数個所設けても良いものである。更に、バラン２２の２次側コイル２２Ｂの平衡給電線２１側の点Ｆで示す部分にノッチフィルタを設置しても良い。ノッチフィルタは、同軸ケーブル４５で取り出すラジオの周波数帯のみを阻止するフィルタであって、同軸ケーブル４５で取り出すラジオの周波数帯が同軸ケーブル３５側に行かないようにするためのものである。ノッチフィルタの代わりにコンデンサを使用することも可能である。
【００２７】
図７（ａ）は、以上説明した本発明の第１から第４の実施例のマルチバンドアンテナ１１〜１４を、自動車１のリヤガラス２に設置する場合のアンテナの配置の第１の実施例を示すものである。アンテナの配置の第１の実施例では、ループアンテナ１０がリヤガラス２の左側の上端部に設置されており、平衡給電線２１が自動車１のルーフ側のリヤガラス２の黒セラライン１９に沿って配置され、バラン２２と信号取出部３０が内蔵されたコネクタ９が、リヤガラスの上端部中央に設置されている。そして、ラジオ放送用の周波数帯の受信信号を取り出す同軸ケーブル３５の芯線３４と、テレビ放送用の周波数帯の受信信号を取り出す同軸ケーブル２３の芯線２４とが、コネクタ９に接続されている。
【００２８】
この構成では、信号取出部３０とバラン２２とが１つのコネクタ９の筐体内に収められており、コネクタ９から同軸ケーブル３５でラジオ放送の受信信号を、同軸ケーブル２３でテレビ放送の受信信号を取り出すことができるので、部品点数が削減されて見栄えが工場すると共に、コストを低減することができる。
【００２９】
図７（ｂ）は本発明のマルチバンドアンテナ１１〜１４を、自動車１のリヤガラス２に設置する場合のアンテナの配置の第２の実施例を示すものである。アンテナの配置の第２の実施例では、ループアンテナ１０がリヤガラス２の右側の上端部に設置されており、平衡給電線２１が自動車１のルーフ側のリヤガラス２の黒セラライン１９に沿って配置され、バラン２２と信号取出部３０が内蔵されたコネクタ９が、リヤガラスの上端部中央に設置されている。第２の実施例ではコネクタ９に接続する同軸ケーブル３５と同軸ケーブル２３の図示は省略してある。
【００３０】
図７（ｃ）は本発明のマルチバンドアンテナ１１〜１４を、自動車１のリヤガラス２に設置する場合のアンテナの配置の第３の実施例を示すものである。アンテナの配置の第３の実施例では、ループアンテナ１０がリヤガラス２の上端部の中央に設置されており、平衡給電線２１が自動車１のルーフ側のリヤガラス２の黒セラライン１９に沿って配置され、バラン２２と信号取出部３０が内蔵されたコネクタ９が、リヤガラスの上端部右側に設置されている。平衡給電線２１とコネクタ９をリヤガラスの上端部左側に配置する構成も可能である。第３の実施例でもコネクタ９に接続する同軸ケーブル３５と同軸ケーブル２３の図示は省略してある。
【００３１】
図７（ｄ）は本発明のマルチバンドアンテナ１１〜１４を、自動車１のリヤガラス２に設置する場合のアンテナの配置の第４の実施例を示すものである。アンテナの配置の第４の実施例では、ループアンテナ１０がリヤガラス２の左端部の上部に設置されており、平衡給電線２１が自動車１のＣピラー（図７（ａ）参照）１８に沿ったリヤガラス２の黒セラライン１９に沿って配置され、バラン２２と信号取出部３０が内蔵されたコネクタ９が、リヤガラスの下端部左側に設置されている。第４の実施例でもコネクタ９に接続する同軸ケーブル３５と同軸ケーブル２３の図示は省略してある。
【００３２】
図７（ｅ）は本発明のマルチバンドアンテナ１１〜１４を、自動車１のリヤガラス２に設置する場合のアンテナの配置の第５の実施例を示すものである。アンテナの配置の第５の実施例では、ループアンテナ１０がリヤガラス２の右端部の上部に設置されており、平衡給電線２１が自動車１のＣピラー（図７（ａ）参照）１８に沿ったリヤガラス２の黒セラライン１９に沿って配置され、バラン２２と信号取出部３０が内蔵されたコネクタ９が、リヤガラスの下端部右側に設置されている。第５の実施例でもコネクタ９に接続する同軸ケーブル３５と同軸ケーブル２３の図示は省略してある。
【００３３】
図８は、本発明の第６の実施例のマルチバンドアンテナ１６の構成を示すものである。この実施例のマルチバンドアンテナ１６は、デジタルテレビ放送用のダイバーシティアンテナを構成しており、リヤガラス上に４つのループアンテナ１０が配置されている。４つのループアンテナ１０からはそれぞれリヤガラス２の上端部の黒セラライン１９に沿って平衡給電線２１が配置されており、リヤガラス２の上端部中央に設けられたコネクタ２９に接続している。コネクタ２９内にはそれぞれバラン２２と信号取出部３０が内蔵されており、４つの信号取出部３０からはそれぞれＦＭラジオのメイン信号、サブ信号、ＶＩＣＳ信号、及びＡＭラジオ信号が取り出されるようになっている。デジタルテレビ信号は、復調後のデジタル信号を合成する合成ダイバーシティであるので、図示しない４本の同軸ケーブルによって取り出されて復調回路に入力される。
【００３４】
以上、本発明の実施形態に係るマルチバンドアンテナを自動車のリヤガラスに設置する例を説明したが、本発明のマルチバンドアンテナは、自動車のリヤガラスのみならず、その他の車両の窓ガラスや家屋の窓ガラスにも設置が可能である。また、テレビ放送受信用のアンテナは、ループアンテナの例を説明したが、ループアンテナの他にも、平衡給電線を使用するアンテナ、例えばダイポールアンテナを使用することも可能である。
【図面の簡単な説明】
【００３５】
【図１】従来の自動車のリヤガラスへのアンテナの設置状態を説明する図である。
【図２】本発明のマルチバンドアンテナの第１の実施例の構成を示す回路図である。
【図３】本発明のマルチバンドアンテナの第２の実施例の構成を示す回路図である。
【図４】（ａ）は本発明のマルチバンドアンテナの第３の実施例の構成を示す回路図、（ｂ）は（ａ）の破線で囲んだ部分の変形例の部分回路図である。
【図５】本発明のマルチバンドアンテナの第４の実施例の構成を示す回路図である。
【図６】本発明のマルチバンドアンテナの第５の実施例の構成を示す回路図である。
【図７】（ａ）は本発明のマルチバンドアンテナを自動車のリヤガラスに設置する場合のアンテナの配置の第１の実施例を説明する部分図、（ｂ）は本発明のマルチバンドアンテナを自動車のリヤガラスに設置する場合のアンテナの配置の第２の実施例を説明する部分図、（ｃ）は本発明のマルチバンドアンテナを自動車のリヤガラスに設置する場合のアンテナの配置の第３の実施例を説明する部分図、（ｄ）本発明のマルチバンドアンテナを自動車のリヤガラスに設置する場合のアンテナの配置の第４の実施例を説明する部分図、（ｅ）本発明のマルチバンドアンテナを自動車のリヤガラスに設置する場合のアンテナの配置の第５の実施例を説明する部分図である。
【図８】本発明のマルチバンドアンテナの第６の実施例の構成を示す構成図である。
【符号の説明】
【００３６】
１    自動車
４    リヤガラス
９、２９    コネクタ
１１    第１の実施例のマルチバンドアンテナ
１２    第２の実施例のマルチバンドアンテナ
１３    第３の実施例のマルチバンドアンテナ
１４    第４の実施例のマルチバンドアンテナ
１５    第５の実施例のマルチバンドアンテナ
１６    第６の実施例のマルチバンドアンテナ
１９    黒セラライン
２０    給電点
２１    平衡給電線
２２    バラン
２３，３５，４５    同軸ケーブル
２５    コンデンサ
３０    信号取出部
３１，３２    コイル
３３    取出しコイル
４０    第２の信号取出部
４１，４２    バンドパスフィルタ
【図１】
2009267976.tif 000003
【図２】
2009267976.tif 000004
【図３】
2009267976.tif 000005
【図４】
2009267976.tif 000006
【図５】
2009267976.tif 000007
【図６】
2009267976.tif 000008
【図７】
2009267976.tif 000009
【図８】
2009267976.tif 000010